(57)【特許請求の範囲】
【請求項１】
非接触型充電器から供給される電力を充電することが可能な二次電池と、
前記二次電池に対する充電状態を監視する保護回路と、
前記非接触型充電器との間で通信を行い前記非接触型充電器からの電力供給を許可する認証を行う認証部と、を備えた電子機器であって、
前記認証部は、所定時間毎に識別情報を前記非接触型充電器に送信し、前記保護回路により充電状態に異常が検出された場合には認証が不成立となる情報を前記非接触型充電器に送信する電子機器。
【請求項２】
前記非接触型充電器との間で電磁結合して電力の供給を受けるコイルを備えた請求項１記載の電子機器であって、
前記認証部は、前記識別情報および前記認証が不成立となる情報を、前記コイルを介して前記非接触型充電器に送信する電子機器。
【請求項３】
前記識別情報には充電方式の情報が含まれることを特徴とする請求項１または請求項２に記載の電子機器。
【請求項４】
前記二次電池は接触型充電器から供給される電力を充電することが可能な請求項１から請求項３のいずれかに記載の電子機器。
【請求項５】
電子機器との間で通信を行い前記電子機器への電力供給を許可する認証を行う認証部と、
前記電子機器に電力を供給するか否かを制御する制御部と、を備えた非接触型充電器であって、
前記認証部は、所定時間毎に前記電子機器から識別情報を受信し、前記電子機器の充電状態に異常が検出された場合に前記電子機器から送信される認証が不成立となる情報を前記電子機器から受信し、前記識別情報および前記認証が不成立となる情報に基づいて前記電子機器の認証を行い、
前記制御部は、前記認証部で前記電子機器との認証が成立しない場合には前記電子機器への電力供給をオフにする制御を行う非接触型充電器。
【請求項６】
請求項１から請求項４のいずれかに記載の電子機器と、請求項５記載の非接触型充電器と、を備える非接触充電システム。
【発明の詳細な説明】
【技術分野】
【０００１】
本発明は、非接触型の充電器から供給される電力を充電可能な電子機器、非接触型充電器及び非接触充電システムに関する。
【背景技術】
【０００２】
携帯電話等の携帯型の電子機器には、その電源を確保するために、通常、繰り返し充放電が可能な二次電池が用いられている。そして、二次電池への充電するシステムとして、電子機器と非接触状態で二次電池を充電することのできる非接触充電システムが考案されている。
【０００３】
このような非接触充電システムは、電動シェーバ等といった、充電端子の露出を避けることが望ましい機器を中心に普及しているが、今後、携帯電話のような機器にも普及していくことが予想される。例えば、特許文献１，２には、非接触充電システムが採用された携帯電話が記載されている。
【０００４】
【特許文献１】特開２００５−１４３１８１号公報
【特許文献２】特開２００６−１１５５６２号公報
【発明の開示】
【発明が解決しようとする課題】
【０００５】
ホテルや外食店舗等にて、携帯電話への充電サービスが提供されているが、携帯電話等の電子機器は、現状では接触型の充電システムが中心となっているため、このような充電サービスにおいて非接触充電システムに完全に対応するまでには時間を要する。したがって、非接触充電システムを採用した携帯電話の使用者が、専用の充電器を携帯していない場合には、外出先での充電ができなくなってしまうという事情があり得る。
【０００６】
また、二次電池や、充電を受ける電子機器に異常が生じたときに、通常、過電流や発熱を検出して二次電池への充電を停止させる保護回路が設けられており、非接触型充電システムでは、電子機器側に異常が生じても、充電器においてその異常を検出することができず、電力を供給し続けてしまうという事情がある。
【０００７】
本発明は、上記の事情に鑑みてなされたものであって、接触型及び非接触型の両方の充電方式に対応可能な電子機器及び非接触充電システムを提供することを目的とする。また、充電器において不要な電力供給を抑制することが可能な電子機器、非接触型充電器及び非接触充電システムを提供することを目的とする。
【課題を解決するための手段】
【０００８】
本発明は、非接触型充電器から供給される電力を充電することが可能な二次電池と、前記二次電池に対する充電状態を監視する保護回路と、前記非接触型充電器との間で通信を行い前記非接触型充電器からの電力供給を許可する認証を行う認証部と、を備えた電子機器であって、前記認証部は、所定時間毎に識別情報を前記非接触型充電器に送信し、前記保護回路により充電状態に異常が検出された場合には認証が不成立となる情報を前記非接触型充電器に送信するものである。
【０００９】
また本発明は、電子機器との間で通信を行い前記電子機器への電力供給を許可する認証を行う認証部と、前記電子機器に電力を供給するか否かを制御する制御部と、を備えた非接触型充電器であって、前記認証部は、所定時間毎に前記電子機器から識別情報を受信し、前記電子機器の充電状態に異常が検出された場合に前記電子機器から送信される認証が不成立となる情報を前記電子機器から受信し、前記識別情報および前記認証が不成立となる情報に基づいて前記電子機器の認証を行い、前記制御部は、前記認証部で前記電子機器との認証が成立しない場合には前記電子機器への電力供給をオフにする制御を行うものである。
【発明の効果】
【００２４】
本発明によれば、接触型及び非接触型の両方の充電方式に対応可能な電子機器及び非接触充電システムを提供することができる。また、充電器において不要な電力供給を抑制することが可能な電子機器、非接触型充電器及び非接触充電システムを提供することができる。
【発明を実施するための最良の形態】
【００２５】
以下、図面を参照して、本発明の実施形態に係る電池パック、電子機器及び非接触充電システムについて説明する。以下の実施形態では、電子機器の一例として、携帯電話について説明する。しかしながら、本実施形態に係る電子機器は、携帯情報端末（ＰＤＡ：Personal Digital Assistant）等、二次電池を電源とする種々の電子機器に適用可能である。
【００２６】
（第１の実施形態）
図１は本発明の第１の実施形態に係る充電システムの概要を説明するブロック図、図２は本発明の第１の実施形態に係る非接触充型電器の非接触充電回路の主要な構成を示すブロック図、図３は本発明の第１の実施形態に係る携帯電話の非接触充電回路の主要な構成を示すブロック図である。
【００２７】
図１に示すように、本実施形態の充電システムは、携帯電話１ａと、携帯電話１ａに着脱自在に装着される電池パック２と、接触型充電器３と、非接触型充電器４とを備える。携帯電話１ａは、接触型充電器３に接触して電力の供給を受けて電池パック２の二次電池に充電し、また、非接触型充電器４と非接触の状態で電力の供給を受けて電池パック２の二次電池に充電することができる。
【００２８】
接触型充電器３は、交流電源５１に接続され、交流電力を直流電力に変換するＡＣアダプタ３１と、ＡＣアダプタ３１から出力される直流電力を外部へ供給する電力供給端子を備える。
【００２９】
非接触型充電器４は、ＡＣアダプタ４１と、非接触充電回路４２と、コイル４３と、温度検出部４４と、制御部４５とを備える。
【００３０】
ＡＣアダプタ４１は、交流電源５２に接続され、交流電力を直流電力に変換し、非接触充電回路４２に出力する。なお、ＡＣアダプタ４１と他の要素とは、別の筐体に設けられ、ＡＣアダプタ４１と、非接触充電回路４２とが電源ケーブルを介して接続されてもよい。
【００３１】
非接触充電回路４２は、図２に示すように、変換回路４２１と、認証部４２２とを有する。変換回路４２１は、ＡＣアダプタ４１から出力された直流電力を、所定の交流電力に変換し、コイル４３に出力する。また、制御部４５からの指示に従って、コイル４３に対する電力の供給のオン／オフを切り換える。認証部４２２は、制御部４５からの指示に従ってコイル４３を介して電池パック２と通信を行い、電池パック２に対する電力供給を許可するための認証を行う。そして、認証した結果を制御部４５に通知する。
【００３２】
コイル４３は、非接触充電回路４２から出力された交流電力を電磁エネルギーとして放出する一次コイルとして機能する。温度検出部４４は、非接触型充電器４の内部の温度を検出し、制御部４５へ検出結果を通知する。
【００３３】
制御部４５は、非接触充電回路４２の動作を制御するものであり、温度検出部４４から入力された温度検出結果が所定の温度以上であれば、変換回路４２１におけるコイル４３に対する電力の供給をオフに設定する。
【００３４】
電池パック２は、コイル２１と、非接触充電回路２２と、保護回路２３と、電池セル２４と、電池制御部２５とを備える。また、電池パック２は、携帯電話１ａと、端子ＣＨ、端子Ｔ、端子＋及び端子−にて電気的に接続される。なお、端子＋及び端子−は、電池セル２４に対して電力を供給するための電力供給端子の一例として機能する。
【００３５】
コイル２１は、非接触型充電器４に備えられたコイル４３との間で電磁結合して電力の供給を受ける二次コイルとして機能し、供給された交流電力を非接触充電回路２２に出力する。
【００３６】
非接触充電回路２２は、図３に示すように、整流回路２２１と、レギュレータ２２２と、認証部２２３とを有する。整流回路２２１は、コイル２１から出力された交流電力を、直流電力に変換し、レギュレータ２２２に出力する。レギュレータ２２２は、整流回路２２１の出力と端子ＣＨとの間に接続され、整流回路２２１から出力された直流電力を端子ＣＨに出力する。なお、この端子ＣＨへの直流電力の供給は、電池制御部２５からの指示に従ってオン／オフが切り換えられる。認証部２２３は、制御部２５からの指示に従ってコイル２１を介して非接触型充電器４と通信を行い、非接触型充電器４からの電力供給を許可する認証を行う。そして、認証した結果を電池制御部２５に通知する。
【００３７】
保護回路２３は、携帯電話１ａの端子＋及び端子−から受けた電力を、電池セル２４に供給して充電する。また、保護回路２３は温度検出器や過電流検出器を有して電池セル２４への充電状態を監視し、高温や過電流を検出して異常が発生したと判定した場合に、電池セル２４への充電を停止する。なお、異常検出したときの異常検出信号は、電池制御部２５へ出力されると共に、端子Ｔを介して携帯電話１ｂに出力される。
【００３８】
電池セル２４は、保護回路２３を介して充電され、繰り返し充放電が可能となる二次電池の一例として機能する。
【００３９】
電池制御部２５は、非接触充電回路２２の動作を制御するものであり、保護回路２３により充電状態に異常が検出された場合には、レギュレータ２２２における端子ＣＨに対する電力の供給をオフに設定する。
【００４０】
携帯電話１ａは、外部接続端子１１と、外部接続端子１１と、接続検出部１２と、切替回路１３と、充電回路１４と、制御部１５とを備える。
【００４１】
端子ＣＨは、非接触型充電器４から供給される電力が入力される第一の電源入力部の一例として機能するものであり、電池パック２の非接触充電回路２２にて変換された直流電力が入力される。
【００４２】
外部接続端子１１は、接触型充電器３から供給される電力が入力される第二の電源入力部の一例として機能するものであり、接触型充電器３の電力供給端子３２に直接接触することにより、接触型充電器３から直流電力が入力される。
【００４３】
接続検出部１２は、外部接続端子１１からの電力が入力されたか否かを検出し、切替回路１３に出力する。接続検出部１２の構成の一例としては、図１に示すように、ＰＭＯＳトランジスタ１２１を備え、そのゲート及びソースには外部接続端子１１に接続され、ドレインには、一端が接地されたプルダウン抵抗Ｒの多端が接続されている。そして、ドレインからは、外部接続端子１１に接触型充電器３の電力供給端子３２が接続されていないときにはローレベル信号、されることにより電圧が変化するとハイレベル信号を出力する。
【００４４】
切替回路１３は、接続検出部１２からの選択信号に基づいて二つの端子ａ，ｂのいずれか一方を選択し、充電回路１４と接続する。端子ａは端子ＣＨに接続され、端子ｂは外部接続端子１１に接続される。そして、切替回路１３は、接続検出部１２からの出力がローレベル信号のときには端子ａを、ハイレベル信号のときには端子ｂを選択する。なお、接続検出部１２及び切替回路１３は、電源入力選択部の一例として機能する。
【００４５】
充電回路１４は、切替回路１３から電力が入力され、端子＋及び端子−を介して電池パック２の電池セル２４に対する充電を制御する。例えば、電池セル２４に所定の電圧がかかるように電圧を制御し、さらに充電電流を監視して所定の電流以下になったときに充電を停止するように制御する。また、充電池への充電状態等を制御部１５に通知する。なお、充電回路１４は、非接触式及び接触式の充電器からの入力の両方を兼用することとなるので、携帯電話１ａの装置の大型化やコストアップを防ぐことができる。
【００４６】
制御部１５は、携帯電話１ａの全体の動作を制御するものであり、所定のプログラムによって動作するプロセッサを主体に構成される。制御部１５は、充電回路１４における状態を監視すると共に、充電回路１４への充電の開始・停止等を制御する。
【００４７】
次に、本実施形態の携帯電話１ａの動作について説明する。図４は、本発明の第１の実施形態に係る携帯電話の動作を説明するフローチャートである。
【００４８】
図４に示すように、接続検出部１２は、外部接続端子１１に電力が供給されたか否かを監視する（ステップＳ１０１）。そして、外部接続端子１１に電力が供給されたことが検出されると（ステップＳ１０１のＹＥＳ）、切替回路１３は、端子ｂを選択して、外部接続端子１１と充電回路１４とを接続する（ステップＳ１０２）。充電回路１４は、外部接続端子１１経由で電力供給を受ける（ステップＳ１０３）。
【００４９】
制御部１５は、充電回路１４からの充電電源入力を認識して（ステップＳ１０４）、電池パック２に対する充電を開始し（ステップＳ１０５）、外部接続端子１１に供給された電力は、切替回路１３、充電回路１４、及び保護回路２３を介して電池セル２４に供給されて充電される。
【００５０】
ステップＳ１０１にて、外部接続端子１１に電力が供給されたことが検出されないと（ステップＳ１０１のＮＯ）、切替回路１３は、端子ａを選択して、端子ＣＨと充電回路１４とを接続する（ステップＳ１０７）。
【００５１】
そして、携帯電話１ａが非接触型充電器４に設置されると（ステップＳ１０８のＹＥＳ）、充電回路１４は、コイル２１、非接触充電回路２２、及び端子ＣＨ経由で電力供給を受ける（ステップＳ１０９）。そして、ステップＳ１０４〜ステップＳ１０６と同様に充電が開始される。
【００５２】
なお、非接触型充電器４への設置の検出は、携帯電話１ａに手動のスイッチ又は設置を検出するセンサを設けて検出してもよいし、非接触型充電器４に手動のスイッチ又は設置を検出するセンサを設け、制御部４５が認証部４２２から認証開始を要求する信号を、コイル４３を介して送出することにより、認証部２２３を介して電池制御部２５にて検出してもよい。
【００５３】
そして、非接触型充電器４へ設置されたことが検出されると、認証部２２３と認証部４２２との間で認証が行われ、非接触型充電器４にて認証の成立が確認されると、非接触型充電器４からの電力供給が開始される。なお、認証方法としては、認証部２２３から、自身の充電方式等の情報を含む識別情報を、コイル２１を介して送信し、認証部４２２にて識別情報を解析して認証の成立／不成立を判定する。
【００５４】
一方、ステップＳ１０８において、携帯電話１ａが非接触型充電器４に設置されないと（ステップＳ１０８のＮＯ）、携帯電話１ａは電力の供給を受けないので、充電をしない。
【００５５】
このような本発明の第１の実施形態によれば、接触型及び非接触型の両方の充電方式に対応可能であり、また、充電方式のうち、いずれか一方の入力のみを選択するので、一度に両方の電源入力部から電力が入力されるような場合でも、安全に充電を行うことができる。
【００５６】
（第２の実施形態）
図５は本発明の第２の実施形態に係る充電システムの概要を説明するシーケンスチャートである。なお、本実施形態の充電システムは、非接触充電回路２２の認証部２２３及び電池制御部２５の動作が異なる他は、第１の実施形態で説明した構成と同様であるので、重複する部分の説明は省略する。
【００５７】
携帯電話１ａは非接触型充電器４に設置されると、認証部２２３から、コイル２１を介して非接触型充電器４に識別情報を送信する（ステップＳ２１１）。非接触型充電器４では、認証部４２２は、コイル４３を介して受信した識別情報を解析する（ステップＳ２１２）。そして、認証が成立ない場合には（ステップＳ２１２のＮＯ）、制御部４５に認証不成立である旨を通知し、制御部４５は変換回路４２１から携帯電話１ａに対する電力供給状態をオフに設定し、充電しない（ステップＳ２１３）。
【００５８】
一方、認証部４２２は、認証が成立すると（ステップＳ２１２のＹＥＳ）、制御部４５に認証成立である旨を通知し、制御部４５は変換回路４２１から携帯電話１ａに対する電力供給状態をオンに設定し、充電を開始する（ステップＳ２１４）。
【００５９】
充電開始後も、電池パック２の認証部２２３は、所定時間毎に識別情報を送信する（ステップＳ２０２）。非接触型充電器４の認証部４２２では、送信された識別情報を解析し、認証が成立している間は電力の供給を継続する。また、電池パック２では、保護回路２３にて異常を監視し、異常が検出されない間は（ステップＳ２０３のＮＯ）、充電を継続する。
【００６０】
そして、保護回路にて異常が検出された場合（ステップＳ２０３のＹＥＳ）、電池制御部２５は、認証部２２３から認証が不成立となる情報を非接触充電回路４２に送信し、認証部２２３における認証を不成立とする。
【００６１】
非接触型充電器４の認証部４２２では、認証が不成立となる情報が送信されたので、識別情報を解析すると（ステップＳ２１５）、認証が不成立となる。制御部４５は、認証部４２２における認証不成立の結果に基づいて、変換回路４２１から携帯電話１ａに対する電力供給状態をオフに設定し、充電を停止する（ステップＳ２１６）。
【００６２】
このような本発明の第２の実施形態によれば、電池パック２に異常が生じたときに、非接触型充電器４との認証を不成立とするので、非接触型充電器４において電力供給すべきでない状況を認識することが可能となり、不要な電力供給を抑制し、非接触型充電器４における消費電力を軽減することができる。
【００６３】
なお、認証の方法が、非接触充電器４の認証部４２２から認証要求を行い、電池パック２の認証部２２３から認証要求に対する応答を返信することにより、認証が成立する場合には、保護回路２３にて異常検出された際に認証を不成立にする方法としては、認証部２２３にて認証応答を返信しないことにより、認証部４２２にて認証不成立の判定を行ってもよい。
【００６４】
また、第２の実施形態にて説明した電池パックが装着される携帯電話は、必ずしも接触型の充電方式に対応したものである必要はない。その場合、図１に示す外部接続端子１１、接続検出部１２、切替回路１３は不要であり、電池パックの端子ＣＨと充電回路とが直接、接続される。
【００６５】
（第３の実施形態）
図６は、本発明の第３の実施形態に係る携帯電話の主要な構成を示すブロック図である。図６において、第１の実施形態で説明した図１と重複する部分については同一の符号を付す。また、電池制御部２５及び非接触充電回路２２の動作は、第２の実施形態で説明したものと同様である。
【００６６】
図６に示すように、本実施形態の携帯電話１ｂは、異常検出回路１６を備えている。異常検出回路１６は、制御部１５からの指示に従って、充電回路１４等の携帯電話１ｂにおける異常を監視し、異常が検出された際に、端子Ｔを介して保護回路２３に対して、充電状態に異常が発生したことを認識させる制御信号を出力する。
【００６７】
保護回路２３は、端子Ｔを介して異常検出回路１６からの制御信号が入力されると、異常を検出した状態となるので、第２の実施形態にて説明した図５のステップＳ２０３のＹＥＳ及びステップＳ２０４と同様に、非接触型充電器４との間の認証を不成立とすることで、非接触型充電器４による電力の供給を停止することができる。
【００６８】
このような本発明の第３の実施形態によれば、携帯電話１ｂ側に異常が生じた場合にも、保護回路２３において異常検出した状態と同様に認証を不成立にすることにより、非接触型充電器４において電力供給すべきでない状況を認識することが可能となり、不要な電力供給を抑制し、非接触型充電器４における消費電力を軽減することができる。
【産業上の利用可能性】
【００６９】
本発明の電子機器、非接触型充電器及び非接触充電システムは、接触型及び非接触型の両方の充電方式に対応可能な効果を有し、携帯電話等に有用である。
【図面の簡単な説明】
【００７０】
【図１】本発明の第１の実施形態に係る充電システムの概要を説明するブロック図
【図２】本発明の第１の実施形態に係る非接触充型電器の非接触充電回路の主要な構成を示すブロック図
【図３】本発明の第１の実施形態に係る携帯電話の非接触充電回路の主要な構成を示すブロック図
【図４】本発明の第１の実施形態に係る携帯電話の動作を説明するフローチャート
【図５】本発明の第２の実施形態に係る充電システムの概要を説明するシーケンスチャート
【図６】本発明の第３の実施形態に係る携帯電話の主要な構成を示すブロック図
【符号の説明】
【００７１】
１ａ，１ｂ  携帯電話
２  電池パック
３  接触型充電器
４  非接触型充電器
１１  外部接続端子
１２  接続検出部
１３  切替回路
１４  充電回路
１５  制御部
１６  異常検出回路
２１  コイル
２２  非接触充電回路
２３  保護回路
２４  電池セル
２５  電池制御部
３１  ＡＣアダプタ
３２  電力供給端子
４１  ＡＣアダプタ
４２  非接触充電回路
４３  コイル
４４  温度検出部
４５  制御部
５１，５２  交流電源
【図１】
0004777155.tif 000002
【図２】
0004777155.tif 000003
【図３】
0004777155.tif 000004
【図４】
0004777155.tif 000005
【図５】
0004777155.tif 000006
【図６】
0004777155.tif 000007